(57)【要約】【課題】出窓等の張出部、下り壁、軒天井部を備えている場合に、低コストでかつ容易に断熱材を設けることができる建物および建物の施工方法を提供すること。【解決手段】張出部１０と、この張出部１０の張出床１２の先端部に設けられた下り壁２０と、この下り壁２０の下端部と外壁１８との間に設けられた軒天井部２６とを備えた建物において、張出床１２の内部に断熱材１６を設けることによって、下り壁２０と軒天井部２６とに断熱材を設ける必要がなく、よって、従来に比して下り壁に設ける断熱材の分だけ断熱材にかかるコストを低減できる。また、軒天井部２６に断熱材を設ける必要がないので、軒天井部を施工した後に断熱材を軒天井部の裏面に設けるのに手間がかかるといった問題を解決できる。【選択図】　　　　図１
2004060175.tif 000002
【特許請求の範囲】
【請求項１】
外壁から外側に張出して、内部が建物内部と連通された張出部と、この張出部の張出床の先端部に設けられた下り壁と、この下り壁の下端部と前記外壁との間に設けられた軒天井部とを備えた建物において、
前記張出床の内部に断熱材が設けられていることを特徴とする建物。
【請求項２】
請求項１に記載の建物において、
前記外壁の内部には外壁断熱材が設けられており、この外壁断熱材と前記断熱材とが連続して断熱層が形成されていることを特徴とする建物。
【請求項３】
請求項１または２に記載の建物において、
前記下り壁は、下り壁本体と、この下り壁本体に取り付けられた外装材とを備え、
前記下り壁本体が、複数の桟材によって構成されていること特徴とする建物。
【請求項４】
請求項１〜３のいずれか一項に記載の建物において、
前記張出床は、複数の桟材によって構成された床本体と、この床本体の上面に取り付けられた面材とを備えた床パネルによって構成され、
前記断熱材は前記床パネル内に挿入されたうえで、床本体の下面に取り付けられた支持部材によって下方から支持されていることを特徴とする建物。
【請求項５】
請求項４に記載の建物において、
前記張出床は、張出部が設けられた階の床パネルを外側に延出することによって構成されており、
前記床パネルと、張出部が設けられた階より下階の外壁とが連結金物によって連結されていることを特徴とする建物。
【請求項６】
請求項４または５に記載の建物を施工する方法であって、
まず、床パネル内に断熱材を予め挿入したうえで、床本体の下面に断熱材を支持する支持部材を取り付け、
次に、前記断熱材が挿入された床パネルを外壁から突出するようにして設けることにより張出床を施工し、
次に、前記張出床を備える張出部と、前記下り壁および軒天井部を施工することを特徴とする建物の施工方法。
【発明の詳細な説明】
【０００１】
【発明の属する技術分野】
本発明は、外壁から外側に張出す出窓等の張出部を備えた建物および建物の施工方法に関する。
【０００２】
【背景の技術】
出窓等の張出部を備えた建物の一例として、特開平９−７２１６２号公報に記載の建物が知られている。この公報に記載の建物では、出窓が玄関上の外壁から突出して設けられ、玄関直上の階の床の一部が外壁より突出され、この突出部分が出窓の床とされている。
この突出した床の先端部には下り壁が設けられており、この下り壁と外壁との間には軒天井部設けられている。
【０００３】
このような出窓を備えた建物では、出窓の床が外側に張出しているので、出窓内と外部との間の断熱効果を高めるために、例えば図２に示すように断熱材を設けている。
すなわち、図２において符号１は出窓、２は出窓の床である。この出窓床２の先端部に設けられた下り壁３の内部には断熱材４が設けられている。また、下り壁３と外壁５との間に設けられた軒天井部６の上面には断熱材７が設けられている。このように出窓床２の下側で外部に面している部分（下り壁３、軒天井部６）に断熱材４、７を設けることによって、出窓内と外部との間の断熱効果を高めている。
【０００４】
【発明が解決しようとする課題】
ところで、上記のような建物では以下のような問題がある。
まず、下り壁３と軒天井部６との双方に断熱材を設ける必要があるため、断熱材のコストが嵩む。
また、軒天井部６は現場で軸組みによって施工するため、予め軒天井部６の上面（裏面）に断熱材を設けておくことはできない。このため、軒天井部６を施工した後に断熱材を軒天井部６の裏面に設けるのに手間がかかる。
【０００５】
本発明は上記事情に鑑みてなされたもので、出窓等の張出部、下り壁、軒天井部を備えている場合に、低コストでかつ容易に断熱材を設けることができる建物および建物の施工方法を提供することを目的としている。
【０００６】
【課題を解決するための手段】
上記目的を達成するために、請求項１に記載の発明は、例えば図１に示すように、外壁１８から外側に張出して、内部が建物内部と連通された張出部１０と、この張出部１０の張出床１２の先端部に設けられた下り壁２０と、この下り壁２０の下端部と前記外壁１８との間に設けられた軒天井部２６とを備えた建物において、
前記張出床１２の内部に断熱材１６が設けられていることを特徴とする。
【０００７】
請求項１に記載の発明によれば、張出床１２の内部に断熱材１６を設けたので、この断熱材１６によって張出部１０の内部と外部との間の断熱効果を高めることができる。このため、下り壁２０と軒天井部２６とに断熱材を設ける必要がない。したがって、従来に比して下り壁に設ける断熱材の分だけ断熱材にかかるコストを低減できる。
また、軒天井部２６に断熱材を設ける必要がないので、軒天井部２６を施工した後に断熱材を軒天井部２６の裏面に設けるのに手間がかかるといった従来の問題を解決できる。
【０００８】
請求項２に記載の発明は、請求項１に記載の建物において、
前記外壁１８の内部には外壁断熱材１８ｃが設けられており、この外壁断熱材１８ｃと前記断熱材１６とが連続して断熱層３０が形成されていることを特徴とする。
【０００９】
請求項２に記載の発明によれば、外壁内部の外壁断熱材１８ｃと張出床内部の断熱材１６とが連続して断熱層３０が形成されているので、この断熱層３０によって外壁１８の内側の空間および張出床１２上の空間と、外部との間を容易かつ確実に断熱できる。
【００１０】
請求項３に記載の発明は、請求項１または２に記載の建物において、
前記下り壁２０は、下り壁本体２１と、この下り壁本体２１に取り付けられた外装材２２とを備え、
前記下り壁本体２１が、複数の桟材２１ａによって構成されていること特徴とする。
【００１１】
ここで、下り壁本体２１を複数の桟材２１ａによって構成する場合、例えば、桟材２１ａを矩形枠状に組み立てて、矩形枠を形成し、この矩形枠内に必要に応じて桟材を横あるいは縦にまたは縦横に組付けるのが好ましい。また、矩形枠の一方の面に、面材を取り付けてもよい。
【００１２】
従来は、下り壁本体を、複数の桟材を矩形状に組立てるとともにこの矩形枠に面材を取り付けて構成し、この下り壁本体内に断熱材を設けることによって、下り壁による断熱効果を高めていたが、本発明では下り壁２０内に断熱材を設ける必要がない。
したがって、請求項３に記載の発明によれば、下り壁本体２１を複数の桟材２１ａによって構成することによって、面材を省略でき、その分コストダウンを図れる。
【００１３】
請求項４に記載の発明は、請求項１〜３のいずれか一項に記載の建物の建物において、
前記張出床１２は、複数の桟材１５ａによって構成された床本体１５ｂと、この床本体１５ｂの上面に取り付けられた面材１５ｃとを備えた床パネル１５によって構成され、
前記断熱材１６は前記床パネル１５内に挿入されたうえで、床本体１５ｂの下面に取り付けられた支持部材１７によって下方から支持されていることを特徴とする。
この支持部材としては、例えば桟材や帯状の接着テープが挙げられるが、これに限るものではない。
【００１４】
請求項４に記載の発明によれば、床パネル１５の下面には面材がないが、床パネル１５内に挿入された断熱材１６が、支持部材１７によって下方から支持されているので、断熱材１６を床パネル１５内に、下方に落下することなく確実に保持できる。
【００１５】
請求項５に記載の発明は、請求項４に記載の建物において、前記張出床１２は、張出部１０が設けられた階の床パネル１５を外側に延出することによって構成されており、前記床パネル１５と、張出部１０が設けられた階より下階の外壁１８とが連結金物１９によって連結されていることを特徴とする。
【００１６】
請求項５に記載の発明によれば、張出床１２を構成する床パネル１６と、張出部１０が設けられた階より下階の外壁１８とが連結金物１９によって連結されているので、床パネル１５を外壁１８に容易かつ確実に固定できる。
【００１７】
請求項６に記載の発明は、請求項４または５に記載の建物を施工する方法であって、
まず、床パネル１５内に断熱材１６を予め挿入したうえで、床本体１５ｂの下面に断熱材１６を支持する支持部材１７を取り付け、
次に、前記断熱材１６が挿入された床パネル１５を外壁１８から突出するようにして設けることにより張出床１０を施工し、
次に、前記張出床１２を備える張出部１０と、前記下り壁２０および軒天井部２６を施工することを特徴とする。
【００１８】
請求項６に記載の発明によれば、床パネル１５内に断熱材１６を予め挿入したうえで、床本体１５ｂの下面に断熱材１７を支持する支持部材を取り付けるので、この床パネル１５によって張出床１２を施工する際や、張出部１０、下り壁２０、軒天井部２６等を施工する際に、断熱材１６を床パネル１５内に挿入する必要がなく、よって、建物の施工が容易となる。
特に、従来では軒天井部を施工した後に断熱材を軒天井部の裏面に設けるのに手間がかかっていたが、本発明ではこの手間を解消できる。
【００１９】
【発明の実施の形態】
以下、図１を参照して本発明の実施の形態を説明する。
図１において符号１０は張出部を示す。この張出部１０は、外壁１８から外側に張出すようにして設けられたもので、例えば出窓である。張出部１０は、外壁から張出すようにして設けられた張出床１２と、この張出床１２の先端部および側端部に立設された張出壁１３と、図示は省略するが張出壁１３の上端部に設けられた出窓屋根部とを備えている。
張出壁１３は、複数の桟材１３ａを矩形枠状に組立てて枠体を形成し、この枠体内に縦横に補強桟材を組付けるとともに、枠体に合板等の面材１３ｂを取り付けてなるもので、壁パネル内にはロックウール等の断熱材１４が設けられている。
【００２０】
張出床１２は、張出部１０が設けられた階の床パネル１５を外側に延出することによって構成されている。床パネル１５は、複数の桟材１５ａを矩形枠状に組立てて枠体を形成し、この枠体内に縦横に（補強）桟材を組付けることによって床本体１５ｂを形成し、この床本体１５ｂの上面に合板等の面材１５ｃを取り付けてなるものである。
床パネル１５の先端部、すなわち張出床１２を構成する部分の内部には、ロックウール等の断熱材１６が挿入されている。また、床パネル１５の張出床１２を構成する部分の下面には、３本の支持部材１７が取り付けられている。この支持部材１７は張出床１２の幅方向に沿って長尺な桟材であり、その両端部が床パネル１５の対向する桟材１５ａに固定されている。そして、支持部材１７は、床パネル１５内に挿入された断熱材１６を下方から支持することにより、この断熱材１６を床パネル１５内に、下方に落下することなく確実に保持できる。
なお、支持部材１７としては、帯状の接着テープを使用し、この接着テープの両端部を床パネル１５の対向する桟材１５ａに接着することによって、断熱材１６を支持してもよい。
【００２１】
また、前記床パネル１５の中途部、言いかえれば床パネル１５における張出床１２の端部は、張出部１０が設けられた階（２階）より下階（１階）の外壁１８によって下方から支持されている。そして、この外壁１８と床パネル１５とは連結金物１９によって連結されている。この連結金物１９は、手違い金物であり、外壁１８の裏面に固定される第１固定部１９ａと、この第１固定部１９ａに対して直交し床パネル１５の側面に固定される第２固定部１９ｂとから構成されている。このように、連結金物１９によって、床パネル１５と外壁１８とを連結することによって、床パネル１５を外壁１８に容易かつ確実に固定できる。
【００２２】
外壁１８は、枠体１８ａとこの枠体１８ａの両面に面材１８ｂ，１８ｂを取り付けてなる外壁パネルで構成されており、この外壁パネルの内部には外壁断熱材１８ｃが挿入されている。この外壁断熱材１８ｃは、例えばロックウール等で形成されたものである。そして、外壁断熱材１８ｃと前記断熱材１６とが側断面視において直角に連続し、さらに、断熱材１６と断熱材１４とが連続して、断熱層３０が形成されている。
【００２３】
また、床パネル１５の先端部すなわち、張出床１２の先端部には、下り壁２０が設けられている。この下り壁２０は、下り壁本体２１と、この下り壁本体２１に取り付けられた外装材２２とを備えている。
下り壁本体２１は、複数の桟材２１ａを矩形枠状に組立てて枠体を形成し、この枠体内に縦桟材を横方向に所定間隔で組付けて構成されたものであり、その表面には、図示しない防水透湿シートが貼り付けられている。また、下り壁本体２１の上端部には、胴縁２３が取り付けられており、下端部には水切２４が取り付けられている。なお、前記枠体の一方の面に合板等の面材を取り付けてもよい。そして、外装材２２は、その下縁部を水切２４の上取付片に重ね合わせ、さらに上縁部を前記胴縁２３に釘等によって固定することによって、下り壁本体２１に取り付けられている。なお、２階の壁パネルには図示しない２階の外装材が取り付けられている。
【００２４】
前記下り壁本体２１の下端部と、外壁１８との間には軒天井部２６が設けられている。この軒天井部２６は軒天材２６ａを備えており、軒天材２６ａの先端縁部は受材２６ｂを介して下り壁本体２１の下端部に取り付けられており、軒天材２６ａの後端縁部は受材２６ｃを介して外壁１８に取り付けられている。
なお、この外壁１８の軒天材２６ａより下方の表面には、図示しない外装材が取り付けられている。
【００２５】
次に、上記のような構成の建物の施工方法について説明する。
まず、張出床１２を構成する床パネル１５内に断熱材１６を挿入したうえで、床本体１５ｂの下面に断熱材１６を支持する支持部材１７を取り付けておく。この作業は例えば工場等によって行う。
次に、現場で基礎上に１階の外壁１８を立設するとともに、１階の床パネルを敷き込む。
次に、外壁１８上に２階の床パネルを敷き込むとともに、２階の外壁を立設する。この場合、２階の床パネルのうち前記張出床１２を構成する床パネル１５の先端部、つまり断熱材１６が内部に設けられた部分を、外壁１８から張出すようにして設けることによって、張出床１２を施工する。また、床パネル１５と外壁１８とは連結金物１９によって連結する。
【００２６】
次に、張出床１２の先端部および側端部に張出壁１３を立設し、この張出壁１３の上端部に出窓屋根を取り付けることによって張出部１０を施工する。
次に、張出床１２の先端部に下り壁本体２１を取り付け、その後、下り壁本体２１の上端部に胴縁２３を取り付けるとともに、下端部に水切２４を取り付けたうえで、外装材２２の下縁部を水切２４の上取付片に重ね合わせ、上縁部を胴縁２３に釘等で固定することによって、外装材２２を下り壁本体２１に取り付ける。このようにして、下り壁２０を施工する。
【００２７】
次に、下り壁本体２１の下端部に受材２６ｂを取り付け、外壁１８に受材２６ｃを取り付け、これら受材２６ｂ、２６ｃに、軒天材２６ａの先端縁部と後端縁部をそれぞれ取り付ける。このようにして、下り壁２０の下端部と外壁１８との間に軒天井部２６を施工する。なお、その後は、２階の壁パネル上に屋根パネルを施工して建物の施工を終了する。
【００２８】
本実施の形態の形態によれば、張出床１２の内部に断熱材１６を設けたので、この断熱材１６によって張出部１０の内部と外部との間の断熱効果を高めることができる。このため、下り壁２０と軒天井部２６とに断熱材を設ける必要がない。したがって、従来に比して下り壁２０に設ける断熱材の分だけ断熱材にかかるコストを低減できる。
また、軒天井部２６に断熱材を設ける必要がないので、軒天井部２０を施工した後に断熱材を軒天井部２０の裏面に設けるのに手間がかかるといった従来の問題を解決できる。
【００２９】
また、従来は、矩形枠状の枠体に面材を取り付けなてなる下り壁本体内に断熱材を設けることによって、下り壁による断熱効果を高めていたが、本実施の形態では下り壁２０内に断熱材を設ける必要がない。
したがって、下り壁本体２１を複数の桟材２１ａによって矩形枠状に構成することによって、面材を省略でき、その分コストダウンを図れる。
【００３０】
さらに、従来では軒天井部を施工した後に断熱材を軒天井部の裏面に設けるのに手間がかかっていたが、本実施の形態では、床パネル１５内に断熱材１６を予め挿入するので、軒天井部２６を施工する際に、断熱材１６を床パネル１５内に挿入する必要がなく、よって、建物の施工が容易となる。
また、外壁１８内部の外壁断熱材１８ｃと張出床内部の断熱材１６と張出壁１３内部の断熱材１４が連続して断熱層３０が形成されているので、この断熱層３０によって外壁１８の内側の空間および張出床１２上の空間と、外部との間を容易かつ確実に断熱できる。
【００３１】
なお、本実施の形態の形態では、張出床１２の先端部および側端部に張出壁１３を立設し、この張出壁１３の上端部に出窓屋根を取り付けることによって張出部１０を施工した後に、下り壁２０や軒天井部２６を施工するようにしたが、張出壁１３を立設する前に、下り壁２０や軒天井部２６を施工してもよい。
さらに、本実施の形態では、下り壁本体２１に現場で外装材２２や水切２４を取り付けたが、外装材２２や水切２４は予め工場等において下り壁本体２１に取り付けておいてもよい。
【００３２】
【発明の効果】
以上説明したように、請求項１に記載の発明によれば、張出床の内部に断熱材を設けたので、下り壁と軒天井部とに断熱材を設ける必要がない。したがって、従来に比して下り壁に設ける断熱材の分だけ断熱材にかかるコストを低減できる。
また、軒天井部に断熱材を設ける必要がないので、軒天井部を施工した後に断熱材を軒天井部の裏面に設けるのに手間がかかるといった従来の問題を解決できる。
【００３３】
請求項２に記載の発明によれば、断熱層によって外壁の内側の空間および張出床上の空間と、外部との間を容易かつ確実に断熱できる。
【００３４】
請求項３に記載の発明によれば、下り壁本体を複数の桟材によって構成することによって、面材を省略でき、その分コストダウンを図れる。
【００３５】
請求項４に記載の発明によれば、床パネル内に挿入された断熱材が、支持部材によって下方から支持されているので、断熱材を床パネル内に、下方に落下することなく確実に保持できる。
【００３６】
請求項５に記載の発明によれば、連結金物によって、床パネルを外壁に容易かつ確実に固定できる。
【００３７】
請求項６に記載の発明によれば、床パネル内に断熱材を予め挿入したうえで、床本体の下面に断熱材を支持する支持部材を取り付けるので、この床パネルによって張出床を施工する際や、張出部、下り壁、軒天井部等を施工する際に、断熱材を床パネル内に挿入する必要がなく、よって、建物の施工が容易となる。
【図面の簡単な説明】
【図１】本発明の建物の要部を示す側断面図である。
【図２】従来の建物の要部を示す側断面図である。
【符号の説明】
１０　張出部
１２　張出床
１５　床パネル
１５ａ　桟材
１５ｂ　床本体
１５ｃ　面材
１６　断熱材
１８　外壁
１８ｃ　外壁断熱材
１９　連結金物
２０　下り壁
２１　下り壁本体
２１ａ　桟材
２２　外装材
２６　軒天井部
３０　断熱層
【図１】
2004060175.tif 000003
【図２】
2004060175.tif 000004